(57)【要約】      （修正有）【課題】人が自宅から外出時に所持するべき所持品の忘れ物があるか否かを正確に検知して忘れ物がある場合にその旨を報知して警告し、その人の快適な外出の実現を支援する所持品確認装置および所持品確認方法を提供する。【解決手段】所持品確認装置１０は、宅内と宅外との間の境界位置に配置され、人の外出先での日ごとのスケジュールデータと、人が外出時に所持するべき所持品の所有者および持出日情報を含む物品データとを記憶する記憶部と、人が外出時に所持している複数の所持品を検知する検知部と、複数の所持品の検知結果と検知された複数の所持品に対応する物品データとに基づいて、人を特定するコントローラと、を備える。コントローラは、検知日に対応するスケジュールデータおよび物品データにより特定される人が外出時に所持するべき複数の所持品の組み合わせを検知結果が充足しない場合に、人に対して所持品の忘れ物がある旨を警告する。【選択図】図４
2020135562.tif 000002
【特許請求の範囲】
【請求項１】
宅内と宅外との間の境界位置に配置され、
人の外出先でのスケジュールを日ごとに示すスケジュールデータと、前記人が外出時に所持するべき複数の所持品のそれぞれの所有者情報および持出日情報を含む物品データとを記憶する記憶部と、
前記人が外出時に所持している複数の所持品のそれぞれを検知する検知部と、
前記複数の所持品のそれぞれの検知結果と検知された前記複数の所持品のそれぞれに対応する前記物品データとに基づいて、前記人を特定するコントローラと、を備え、
前記コントローラは、
前記複数の所持品のそれぞれが検知された検知日に対応する前記スケジュールデータおよび前記物品データにより特定される前記人が外出時に所持するべき複数の所持品の組み合わせを前記検知結果が充足しない場合に、前記人に対して所持品の忘れ物がある旨を警告する、
所持品確認装置。
【請求項２】
前記検知部は、所定の近距離無線方式に準じた無線通信を用いて、前記所持品として前記人が所持している携帯無線端末の有無を検知する、
請求項１に記載の所持品確認装置。
【請求項３】
前記検知部は、前記複数の所持品のそれぞれに設けられた無線タグとの間で所定の無線通信方式に準じた無線通信を用いて、前記所持品の有無を検知する、
請求項１に記載の所持品確認装置。
【請求項４】
前記コントローラは、前記警告として、前記所持品の忘れ物がある旨とその忘れ物である所持品の名称とをスピーカを介して音声出力させる、
請求項１に記載の所持品確認装置。
【請求項５】
複数の発光素子が所定間隔ごとに均等に配置されて構成された表示部、を更に備え、
前記コントローラは、前記検知部により検知された１以上の所持品の形状に応じて前記複数の発光素子を点灯させる、
請求項１に記載の所持品確認装置。
【請求項６】
天気予報情報を提供する外部サーバとの間で通信可能な通信部、を更に備え、
前記コントローラは、前記通信部を介して取得された前記天気予報情報に雨予報を示す情報が含まれている場合に、前記所持品の忘れ物がある旨を警告するとともに、前記人に対して傘の所持を推奨する旨を報知する、
請求項１に記載の所持品確認装置。
【請求項７】
前記人の存在を検知するセンサ、を更に備え、
前記検知部は、前記人の存在の検知に基づいて、前記複数の所持品のそれぞれの検知を開始する、
請求項１〜６のうちいずれか一項に記載の所持品確認装置。
【請求項８】
宅内と宅外との間の境界位置に配置された所持品確認装置により実行される所持品確認方法であって、
人の外出先でのスケジュールを日ごとに示すスケジュールデータと、前記人が外出時に所持するべき複数の所持品のそれぞれの所有者情報および持出日情報を含む物品データとを記憶し、
前記人が外出時に所持している複数の所持品のそれぞれを検知し、
前記複数の所持品のそれぞれの検知結果と検知された前記複数の所持品のそれぞれに対応する前記物品データとに基づいて、前記人を特定し、
前記複数の所持品のそれぞれが検知された検知日に対応する前記スケジュールデータおよび前記物品データにより特定される前記人が外出時に所持するべき複数の所持品の組み合わせを前記検知結果が充足しない場合に、前記人に対して所持品の忘れ物がある旨を警告する、
所持品確認方法。
【発明の詳細な説明】
【技術分野】
【０００１】
本開示は、人が外出時に所持する所持品の有無を確認する所持品確認装置および所持品確認方法に関する。
【背景技術】
【０００２】
一般に、大人や子供に拘わらず、人は例えば外出時に所持するべき所持品の忘れ物をすることが少なくない。例えば大人であれば、自宅の鍵、財布、傘、スマートフォン等の携帯電話機、会社の建物内のセキュリティゲートを通過するための社員証等の所持するべき所持品のうちいずれかを自宅内に忘れることが時々あり、必要に応じて自宅に取りに戻らなければならない。同様に、子供であれば、自宅の鍵、筆箱、学校の授業等で使用する体操服や上履き等の物等の所持するべき所持品のうちいずれかを自宅内に忘れることが時々あり、必要に応じて自宅に取りに戻らなければならない。
【０００３】
このような忘れ物が生じる可能性を低くするために、例えば特許文献１では、無線タグのタグデータを読み取るリーダと制御部とを備える携帯通信装置が開示されている。この携帯通信装置では、リーダは、読取可能範囲内に存在する物品に設けられた無線タグのタグデータを読み取る。制御部は、予定と当該予定に用いられる物品とを対応付けたスケジュールデータに基づいて、所持すべき物品に設けられた無線タグのタグデータを抽出し、抽出されたタグデータとリーダにより読み取られたタグデータとを照合することにより、忘れ物を検出する。
【先行技術文献】
【特許文献】
【０００４】
【特許文献１】特開２０１４−４４５２２号公報
【発明の概要】
【発明が解決しようとする課題】
【０００５】
上述したように、家族のそれぞれの人が自宅から外出時に所持するべき所持品を正しく所持しているかどうかはその人が気持ち良く外出できるかどうかを左右する。例えば、大人でも子供でも外出時（例えば出勤時あるいは登校時）に忘れ物をした場合、その忘れ物によっては自宅までわざわざ取りに帰らなければならず、快適な外出の実現が難しいという問題があった。
【０００６】
例えば特許文献１では、携帯通信装置は特定の使用者（例えば生徒）により使用されること、かつ生徒は忘れ物の有無を検出するための携帯通信装置を鞄に携帯することが前提となっている。このため、生徒が携帯通信装置自体の携帯を忘れてしまうと、その生徒が移動した際に忘れ物をしたか否かの正確な検出はできないという課題があった。言い換えると、特許文献１の携帯通信装置を必ず携帯しなくても、生徒が外出時に所持するべき所持品の忘れ物があるか否かの検知を正確に行えることが望ましい点で、特許文献１等の従来技術に比べて改善の余地があった。
【０００７】
本開示は、上述した従来の事情に鑑みて案出され、人が自宅から外出時に所持するべき所持品の忘れ物があるか否かを正確に検知して忘れ物がある場合にその旨を報知して警告し、その人の快適な外出の実現を支援する所持品確認装置および所持品確認方法を提供することを目的とする。
【課題を解決するための手段】
【０００８】
本開示は、宅内と宅外との間の境界位置に配置され、人が外出時に所持するべき複数の所持品の組み合わせを日ごとに示すスケジュールデータを記憶する記憶部と、前記複数の所持品のそれぞれの存在を検知する検知部と、前記複数の所持品のそれぞれの検知結果と前記複数の所持品のそれぞれが検知された検知日に対応する前記スケジュールデータとに基づいて、前記人を特定するコントローラと、を備え、前記コントローラは、前記検知日に対応する前記スケジュールデータにより特定される前記複数の所持品の組み合わせを前記検知結果が充足しない場合に、前記人に対して所持品の忘れ物がある旨を警告する、所持品確認装置を提供する。
【０００９】
また、本開示は、宅内と宅外との間の境界位置に配置された所持品確認装置により実行される所持品確認方法であって、人が外出時に所持するべき複数の所持品の組み合わせを日ごとに示すスケジュールデータを記憶し、前記複数の所持品のそれぞれの存在を検知し、前記複数の所持品のそれぞれの検知結果と前記複数の所持品のそれぞれが検知された検知日に対応する前記スケジュールデータとに基づいて、前記人を特定し、前記検知日に対応する前記スケジュールデータにより特定される前記複数の所持品の組み合わせを前記検知結果が充足しない場合に、前記人に対して所持品の忘れ物がある旨を警告する、所持品確認方法を提供する。
【発明の効果】
【００１０】
本開示によれば、人が自宅から外出時に所持するべき所持品の忘れ物があるか否かを正確に検知して忘れ物がある場合にその旨を報知して警告でき、その人の快適な外出の実現を支援できる。
【図面の簡単な説明】
【００１１】
【図１】実施の形態１に係る所持品確認システムのシステム構成例を示す図
【図２】Ａさん，Ｂさん，Ｃさんそれぞれの外出時の所持品の一例を示す図
【図３】所持品確認システムの導入時の初期登録の動作手順例を示す説明図
【図４】Ａさんの外出時のお知らせ例を示すユースケース図
【図５】Ｃさんの外出時のお知らせ例を示すユースケース図
【図６】Ｃさんの外出時の他のお知らせ例を示すユースケース図
【図７】Ｃさん，Ｄさんの外出時のお知らせ例を示すユースケース図
【図８】実施の形態１に係る所持品確認装置および無線タグの構成例を詳細に示すブロック図
【図９】実施の形態１に係る所持品確認装置の動作手順例を詳細に示すフローチャート
【図１０】実施の形態２に係る所持品確認システムのシステム構成例を示す図
【図１１】小学校の教師が使用するタブレット端末により生成された週案が表示された画面例を示す図
【図１２】実施の形態２に係る所持品確認システムの動作概要例を示す説明図
【図１３】Ｃさんの外出時のお知らせ例を示すユースケース図
【図１４】実施の形態２に係る所持品確認システムの動作手順例を詳細に示すシーケンス図
【発明を実施するための形態】
【００１２】
（実施の形態１の内容に至る経緯）
上述したように、家族のそれぞれの人が自宅から外出時に所持するべき所持品を正しく所持しているかどうかはその人が気持ち良く外出できるかどうかを左右する。例えば、大人でも子供でも外出時（例えば出勤時あるいは登校時）に忘れ物をした場合、その忘れ物によっては自宅までわざわざ取りに帰らなければならず、快適な外出の実現が難しいという問題があった。
【００１３】
例えば特許文献１では、携帯通信装置は特定の使用者（例えば生徒）により使用されること、かつ生徒は忘れ物の有無を検出するための携帯通信装置を鞄に携帯することが前提となっている。このため、生徒が携帯通信装置自体の携帯を忘れてしまうと、その生徒が移動した際に忘れ物をしたか否かの正確な検出はできないという課題があった。言い換えると、特許文献１の携帯通信装置を必ず携帯しなくても、生徒が外出時に所持するべき所持品の忘れ物があるか否かの検知を正確に行えることが望ましい点で、特許文献１等の従来技術に比べて改善の余地があった。
【００１４】
そこで、実施の形態１では、人が自宅から外出時に所持するべき所持品の忘れ物があるか否かを正確に検知して忘れ物がある場合にその旨を報知して警告し、その人の快適な外出の実現を支援する所持品確認装置および所持品確認方法の例を説明する。
【００１５】
以下、添付図面を適宜参照しながら、本開示に係る所持品確認システム、所持品確認装置および所持品確認方法の構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１６】
以下の実施の形態では、例えば父親ＰＲ１、母親ＰＲ２および子供ＫＤ１から構成される３人家族を想定し、３人のそれぞれが自宅からの外出時に所持品の忘れ物があるか否かを確認する所持品確認システムの例を説明する。また、必要に応じて、父親ＰＲ１を「Ａさん」、母親ＰＲ２を「Ｂさん」、子供ＫＤ１を「Ｃさん」と称する場合がある（図１，図２参照）。また、以下の実施の形態において、自宅の玄関に近づいて扉を開けて外出する人（例えば父親ＰＲ１、母親ＰＲ２、子供ＫＤ１のうち少なくとも１人）を単に「外出者」という。更に、説明を分かり易くするために、子供ＫＤ１は小学校に登校する小学生であるとして説明するが、子供ＫＤ１は小学生であることに限定されず、保育園児、幼稚園児、中学生、高校生、大学生等でも構わない。
【００１７】
（実施の形態１）
図１は、実施の形態１に係る所持品確認システム１００のシステム構成例を示す図である。所持品確認システム１００は、所持品確認装置１０と、複数の無線タグＴＧと、ルータＲＴ１と、子供ＫＤ１の保護者（例えば母親ＰＲ２）が所持する携帯無線端末（例えばスマートフォンＳＭ２）と、外部情報提供サーバＷＳ１とを含む構成である。なお、詳細は後述するが、保護者の携帯無線端末（例えばスマートフォンＳＭ２）には、所持品確認装置１０への所持品の登録等の各種の設定を行うための専用アプリケーション（以下「お知らせアプリ」と略記）がインストールされる。
【００１８】
所持品確認装置１０は、３人家族（上述参照）の自宅内と宅外との間の境界位置（例えば玄関）に配置される。所持品確認装置１０は、玄関において外出者（上述参照）の存在を検知すると、その外出者が所持している複数の所持品のそれぞれに設けられた無線タグＴＧから発信される無線信号、あるいはその外出者が所持する携帯無線端末（例えばスマートフォン）から発信される無線信号の受信の有無に応じて、その外出者の所持品の有無を検知する。所持品確認装置１０は、その外出者の所持品の検知結果に基づいて、その外出者に対して所持品の忘れ物がある旨を警告する。例えば、所持品確認装置１０は、忘れ物の名称を教示する音声の出力（例えば図４あるいは図５参照）、または所持品確認装置１０の筐体前面側（つまり外出者から見える側）へのＬＥＤ（Light Emission Diode）点灯により、父親ＰＲ１あるいは子供ＫＤ１に警告の旨を伝える。所持品確認装置１０の構成の詳細については、図８を参照して詳述する。
【００１９】
複数の無線タグＴＧのそれぞれは、例えばＲＦＩＤ（Radio Frequency Identifier）技術を利用して、所定の周波数帯（例えばＵＨＦ（Ultra-High Frequency）帯）の無線信号を発信する。この無線信号は、玄関等に配置される所持品確認装置１０により受信される。以下の実施の形態では、３人家族のそれぞれが外出時に所持するべき所持品のそれぞれに、無線タグＴＧが貼り付けられあるいは挟持されている。例えば図１に示すように、所持品の一例としての自宅の鍵ＫＹ、財布ＷＴのそれぞれに無線タグＴＧが設けられる。
【００２０】
なお、所持品の一例としての携帯無線端末（例えばスマートフォンＳＭ２、タブレット端末ＴＢ１）には無線タグＴＧが貼り付け等されない。これは、無線タグＴＧからの無線信号と携帯無線端末から送られる無線信号との周波数帯における干渉を避けるためである。所持品確認装置１０は、携帯無線端末から送られる無線信号（例えばＢｌｕｅｔｏｏｔｈ（登録商標）の無線通信規格に準じた無線信号）の受信の有無に応じて、その携帯無線端末の有無を検知する。
【００２１】
ルータＲＴ１は、自宅内の無線ネットワーク（例えば無線ＬＡＮ（Local Area Network））に接続され、かつその無線ネットワークとは異なる外部のインターネットＮＷ１にも接続される。なお、図１では、無線ＬＡＮを「ＷＬＡＮ」（Wireless LAN）と略記している。ルータＲＴ１は、自宅内の無線ネットワーク内での各種の通信機器（例えば所持品確認装置１０とスマートフォンＳＭ２）間のデータあるいは情報の送受信を中継し、更に、自宅内の無線ネットワーク内での各種の通信機器（上述参照）とインターネットＮＷ１との間でのデータあるいは情報の送受信を中継する。
【００２２】
携帯無線端末（例えばスマートフォンＳＭ２）は、保護者（例えば母親ＰＲ２）により使用され、母親ＰＲ２の操作により、実施の形態１に係る所持品確認システム１００の各種の初期設定（例えば図３参照）を所持品確認装置１０に対して行う。初期設定の詳細については、図３を参照して後述する。
【００２３】
外部サーバの一例としての外部情報提供サーバＷＳ１は、例えば常々更新等なされる、毎日の天気予報の情報、週間天気予報の情報、月間天気予報の情報（以下、「天気予報情報」という）を保持して管理している。外部情報提供サーバＷＳ１は、この天気予報情報を、インターネットＮＷ１を介してルータＲＴ１に送信する。ルータＲＴ１は、外部情報提供サーバＷＳ１から送られた天気予報情報を所持品確認装置１０に転送する。これにより、所持品確認装置１０は、外部情報提供サーバＷＳ１から送られた最新の天気予報情報を登録して保持でき、例えば外出者が外出する日の天気予報に雨情報が含まれている場合には傘の所持をその外出者に対して推奨（リコメンド）できる。
【００２４】
図２は、Ａさん，Ｂさん，Ｃさんそれぞれの外出時の所持品の一例を示す図である。図２に示すように、Ａさん（つまり父親ＰＲ１）は、会社等への外出時（出勤時）に、例えば鞄ＢＧ１を所持するとともに、その鞄ＢＧ１の中に財布ＷＴ１、社員証ＶＲ１、スマートフォンＳＭ１、および定期券が入っているパスケースＰＳＣ１を入れて外出する。上述したように、スマートフォンＳＭ１には無線タグＴＧは貼り付け等されていないが、鞄ＢＧ１、財布ＷＴ１、社員証ＶＲ１およびパスケースＰＳＣ１のそれぞれには無線タグＴＧが貼り付け等されている。つまり、Ａさんが会社への出勤時には、所持するべき複数の所持品として、鞄ＢＧ１、財布ＷＴ１、社員証ＶＲ１、スマートフォンＳＭ１およびパスケースＰＳＣ１のそれぞれが事前に所持品確認装置１０に登録されている。
【００２５】
同様に、Ｂさん（つまり母親ＰＲ２）は、ショッピング等の外出時に、例えば鞄ＢＧ２を所持するとともに、その鞄ＢＧ２の中に財布ＷＴ２、免許証ＶＲ２、スマートフォンＳＭ２およびタブレット端末ＴＢ１を入れて外出する。上述したように、スマートフォンＳＭ２およびタブレット端末ＴＢ１のそれぞれには無線タグＴＧは貼り付け等されていないが、鞄ＢＧ２、財布ＷＴ２および免許証ＶＲ２のそれぞれには無線タグＴＧが貼り付け等されている。つまり、Ｂさんがショッピング等の外出時には、所持するべき複数の所持品として、鞄ＢＧ２、財布ＷＴ２、免許証ＶＲ２、スマートフォンＳＭ２およびタブレット端末ＴＢ１のそれぞれが事前に所持品確認装置１０に登録されている。
【００２６】
同様に、Ｃさん（つまり子供ＫＤ１）は、小学校への外出時（登校時）に、例えばランドセルＢＧ３を所持するとともに、そのランドセルＢＧ３の中に自宅の鍵ＫＹ１および筆箱ＰＣ１を入れて外出する。ランドセルＢＧ３および筆箱ＰＣ１のそれぞれには無線タグＴＧが貼り付け等されている。つまり、Ｃさんが小学校への登校時には、所持するべき複数の所持品として、ランドセルＢＧ３および筆箱ＰＣ１のそれぞれが事前に所持品確認装置１０に登録されている。
【００２７】
なお、図２で示した所持するべき所持品はあくまで一例であって、曜日ごとあるいは日ごとに父親ＰＲ１、母親ＰＲ２、子供ＫＤ１のそれぞれが外出時に所持するべき所持品は異なってよいことは言うまでもない。例えば、所持品は、図２に示したものに限定されず、スーツ、ネクタイ、腕時計、ノート型ＰＣ（Personal Computer）、各種の会議資料等のドキュメント、リュックサック、手提げ袋、教科書、副読本、辞書、ノート、リコーダー等の楽器、家庭科の授業で使用される裁縫セット、図工の授業で使用される絵具類等も含まれてよい。
【００２８】
＜所持品確認システムの初期設定＞
次に、所持品確認システム１００の初期設定について、図３を参照して説明する。図３は、所持品確認システムの導入時の初期登録の動作手順例を示す説明図である。図３では、初期設定において行われる４つの動作手順（ステップＳｔ１，Ｓｔ２，ＳＴ３，Ｓｔ４）が時系列的かつ例示的に示されているが、これら４つの動作手順の前に先ず保護者のスマートフォン（例えばスマートフォンＳＭ２）と所持品確認装置１０との間の通信環境の設定について説明する。なお、以下の初期設定は、例えば母親ＰＲ２により操作されて実行される。
【００２９】
先ず、インターネットＮＷ１との間で無線通信が可能となるように、ルータＲＴ１に対するスマートフォンＳＭ２の無線接続が設定される。これにより、スマートフォンＳＭ２は、インターネットＮＷ１を介して、所持品確認システム１００において使用される専用アプリケーションであるお知らせアプリ（上述参照）をダウンロードでき、母親ＰＲ２の操作によってお知らせアプリをインストールして使用できる。
【００３０】
この後、ルータＲＴ１と所持品確認装置１０との間で相互に無線ＬＡＮによる無線通信が可能となるように、ルータＲＴ１と所持品確認装置１０とのそれぞれにおいて通信相手に関する情報が設定される。これにより、スマートフォンＳＭ２と所持品確認装置１０とは、ルータＲＴ１を介して、それぞれの間で無線ＬＡＮによる無線通信を行える。この後、所持品確認装置１０に対して、無線ＬＡＮによる無線通信を用いた通信相手としてのスマートフォンＳＭ２が登録される。
【００３１】
次に、スマートフォンＳＭ２と所持品確認装置１０との間で相互に所定の近距離無線通信（例えばＢｌｕｅｔｏｏｔｈ（登録商標））を用いた無線通信が可能となるように、所持品確認装置１０がペアリングモードとなり、スマートフォンＳＭ２がＢｌｕｅｔｏｏｔｈ（登録商標）を用いた無線通信の通信相手となるためのペアリング設定が行われる。これにより、所持品確認装置１０は、スマートフォンＳＭ２がＢｌｕｅｔｏｏｔｈ（登録商標）の通信圏内に存在した時点で、スマートフォンＳＭ２の存在を検知できる。
【００３２】
［Ｔ１：スマートフォンを用いた無線タグの登録設定の開始］
先ず、例えば所持品確認装置１０の購入時にセットで納入される複数枚のタグシートキットＴＧＫＴ１の中から一枚が母親ＰＲ２により手に取られる。タグシートキットＴＧＫＴ１は、無線タグＴＧと、その無線タグＴＧの所持品確認装置１０への登録を設定するための登録画面をスマートフォンＳＭ２等で表示させるためのマーカＱＲ１（例えばＱＲコード（登録商標）参照）とがペアになったシートである。母親ＰＲ２により、例えば父親ＰＲ１（Ａさん）のパスケースＰＳＣ１等のように忘れたくないもの（言い換えると、忘れて欲しくないもの）にタグシートキットＴＧＫＴ１のタグシートが貼り付け等される。スマートフォンＳＭ２は、母親ＰＲ２の操作によりお知らせアプリを起動すると、スマートフォンＳＭ２のディスプレイに無線タグＴＧの登録ボタンを表示する。スマートフォンＳＭ２は、母親ＰＲ２の操作により登録ボタンの押下を検知すると、スマートフォンＳＭ２が備えるカメラ（図示略）を起動する。スマートフォンＳＭ２は、母親ＰＲ２の操作によりタグシートキットＴＧＫ１の残ったマーカＱＲ１をスキャンして読み取ると、無線タグＴＧの詳細登録画面（ステップＳｔ２〜ステップＳｔ４参照）をディスプレイに表示する。
【００３３】
［Ｔ２：無線タグの詳細登録（所持品、所持者）］
無線タグＴＧの詳細登録画面では、例えばその無線タグＴＧが貼り付け等された所持品が具体的に何であって誰の所持品であるかが設定される。例えばＡさんのパスケースＰＳＣ１が新規に登録されることを想定する。母親ＰＲ２の指ＦＧ１により詳細登録画面の新規ボタンが押下されると、スマートフォンＳＭ２は、誰の所持品であるかを選択させる画面をディスプレイに表示する。母親ＰＲ２の指ＦＧ１により「Ａさん」が選択されると、スマートフォンＳＭ２は、所持品が何であるかを選択させる画面をディスプレイに表示する。母親ＰＲ２の指ＦＧ１により「定期券」（パスケースの一例）が選択されると、スマートフォンＳＭ２は、所持品確認装置１０に反応させるタイミングを登録させるための画面をディスプレイに表示する（ステップＳｔ３参照）。なお、図３に示されるように、ＡさんのパスケースＰＳＣ１を２回目以降に登録する際には、例えば誰の所持品であるかを選択させる画面の表示は省略されるが、所持品が何であるかを選択させる画面は表示され、母親ＰＲ２の指ＦＧ１によって同様な手順により設定されてよい。
【００３４】
［Ｔ３：無線タグの詳細登録（警告出力のタイミング）］
所持品確認装置１０に反応させるタイミングは、言い換えれば、初期設定の対象となっている所持品が外出者によりいつに持ち出されるかを示すタイミングであって、更に、外出者がその所持品を忘れたことが検知された場合に所持品確認装置１０から警告が出力されるタイミングを示す。例えばＡさんが平日勤めの会社員であれば、そのパスケースＰＳＣ１は平日の朝に自宅から持ち出される可能性が高い。このため、スマートフォンＳＭ２は、母親ＰＲ２の指ＦＧ１により所持品確認装置１０に反応させるタイミング（例えば曜日）として「平日」が選択されると、同タイミング（例えば時間帯）として具体的な「時間帯」あるいは「常時」を選択させるための画面をディスプレイに表示する。母親ＰＲ２の指ＦＧ１により「時間帯」として「午前７時〜午前８時」が選択されると、スマートフォンＳＭ２は、忘れ物を検知した時の反応音を選択させるための画面をディスプレイに表示する（ステップＳｔ４参照）。なお、「常時」が選択されると、所持品確認装置１０は、該当する「曜日」の時間帯に拘わらずいつでも、選択された反応音を音声出力する。
【００３５】
［Ｔ４：スマートフォンを用いた無線タグの登録設定の終了］
忘れ物を検知した時の反応音は、例えばＡさんが出勤時にパスケースＰＳＣ１の所持を忘れてしまったことが所持品確認装置１０により検知された場合に、所持品確認装置１０から音声出力される音または音楽である。図３の画面では、例示的に５種類の反応音とその反応音の視聴を可能とするためのアイコンとが対応付けて並んで配置されている。母親ＰＲ２の指ＦＧ１により「ｓｏｕｎｄ３」が選択されると、スマートフォンＳＭ２は、ステップＳｔ２〜ステップＳｔ４までの設定により選択された各種の設定内容ＤＴＬ１を取り纏めた最終確認画面をディスプレイに表示する。設定内容ＤＴＬ１は、例えば、所持品の所有者が「Ａさん」であり、所持品が「定期券」（パスケースＰＳＣ）であり、所持品確認装置１０に反応させるタイミングとして「平日かつ午前７時〜午前８時」であり、反応音は「ｓｏｕｎｄ３」であることを示す。この最終確認画面に対して母親ＰＲ２の指ＦＧ１により「ＯＫ」ボタンが押下されると、スマートフォンＳＭ２は、所持品「パスケース」に対する初期設定を完了する。また、ステップＴ１〜ステップＴ４の初期設定は、所持品ごとに実行される。
【００３６】
なお、図３では図示されていないが、所持品確認システム１００の初期設定において、外部情報提供サーバＷＳ１から送られる天気予報情報に雨予報の情報が含まれていると所持品確認装置１０のプロセッサ１２（図８参照）によって判定された場合に音声出力される反応音（図９参照）の種類も、母親ＰＲ２の指ＦＧ１により、上述したステップＴ４において選択される反応音から選択されても構わない。
【００３７】
次に、実施の形態１に係る所持品確認システム１００において外出者が所持品の忘れ物をしたことの検知に応じて音声出力される外出者への報知例について、図４〜図７を参照して説明する。図４は、Ａさんの外出時のお知らせ例を示すユースケース図である。図５は、Ｃさんの外出時のお知らせ例を示すユースケース図である。図６は、Ｃさんの外出時の他のお知らせ例を示すユースケース図である。図７は、Ｃさん，Ｄさんの外出時のお知らせ例を示すユースケース図である。図６および図７では、Ｃさん（子供ＫＤ１）には、例えば姉であるＤさん（子供ＫＤ２）がいるとして説明している。
【００３８】
図４では、外出者は父親ＰＲ１（Ａさん）である。Ａさんが玄関ＨＬＬ１に近づくと、収納ケースの台上に載置された所持品確認装置１０は、Ａさんが所持している無線タグＴＧ付きの鞄ＢＧ１を含む各種の所持品の組み合わせ（後述参照）に基づいて、近づいた人物はＡさんであることを特定する（個人特定）。所持品確認装置１０は、Ａさんが定期券（パスケースＰＳＣ１）の所持を忘れたことを検知した場合、例えば「定期券を忘れていますよ」という音声（つまり忘れ物である定期券の名称を含む警告の音声）を出力する。これにより、所持品確認装置１０は、Ａさんが会社への出勤時に電車に乗る時に必要な定期券の所持忘れを回避させることができ、Ａさんの快適な外出の実現を支援できる。
【００３９】
図５では、外出者は子供ＫＤ１（Ｃさん）である。Ｃさんが玄関ＨＬＬ１に近づくと、収納ケースの台上に載置された所持品確認装置１０は、Ｃさんが所持している無線タグＴＧ付きのランドセルＢＧ３（図２参照）を含む各種の所持品の組み合わせ（後述参照）に基づいて、近づいた人物はＣさんであることを特定する（個人特定）。ここで、Ｃさんは、無線タグＴＧ付きのランドセルＢＧ３と無線タグＴＧ付きの自宅の鍵ＫＹ（図１参照）とを所持しているが、無線タグＴＧ付きの筆箱ＰＣ１（図２参照）を子供部屋ＫＲＭ１に置き忘れたとする。所持品確認装置１０は、Ｃさんが筆箱ＰＣ１の所持を忘れたことを検知した場合、例えば「筆箱を忘れているよ」という音声（つまり忘れ物である筆箱の名称を含む警告の音声）を出力する。これにより、所持品確認装置１０は、Ｃさんが小学校への登校時に小学校での授業で必要な筆箱の所持忘れを回避させることができ、Ｃさんの快適な外出（登校）の実現を支援できる。
【００４０】
図６では、外出者は子供ＫＤ１（Ｃさん）である。Ｃさんが玄関ＨＬＬ１に近づくと、収納ケースの台上に載置された所持品確認装置１０は、Ｃさんが所持しているランドセルＢＧ３（図２参照）を含む各種の所持品の組み合わせ（後述参照）に基づいて、近づいた人物はＣさんであることを特定する（個人特定）。ここで、Ｃさんは、無線タグＴＧ付きのランドセルＢＧ３と無線タグＴＧ付きの自宅の鍵ＫＹ（図１参照）とを所持しており、更に、Ｃさん自身の所持品ではないＤさん（お姉さん）の所持品（例えば体操服ＷＲ１が入った無線タグＴＧ付きの体操服袋）を間違って持参しているとする。所持品確認装置１０は、ＣさんがＤさんの体操服ＷＲ１を間違って所持していることを検知した場合、例えば「お姉ちゃんの体操服を持っているよ」という音声（つまり間違って所持している体操服の名称を含む警告の音声）を出力する。これにより、所持品確認装置１０は、Ｄさんが例えば小学校での授業で必要な体操服ＷＲ１の所持忘れを回避させることができ、Ｄさんの快適な外出（登校）の実現を支援できる。また、所持品確認装置１０は、Ｃさんが小学校への登校時にＣさんが本来所持する必要のないＤさん（姉）の所持品の所持を回避させることができ、Ｃさんの快適な外出（登校）の実現を支援できる。
【００４１】
図７では、外出者は子供ＫＤ１（Ｃさん），ＫＤ２（Ｄさん）である。Ｃさん，Ｄさんが一緒に同時に玄関ＨＬＬ１に近づくと、収納ケースの台上に載置された所持品確認装置１０は、Ｃさん，Ｄさんがそれぞれ所持している無線タグＴＧ付きのランドセル（図２参照）を含む各種の所持品の組み合わせ（後述参照）に基づいて、近づいた人物はＣさん，Ｄさんであることを特定する（個人特定）。ここで、Ｃさん，Ｄさんはともに、無線タグＴＧ付きのランドセルと無線タグＴＧ付きの自宅の鍵とを所持しているが、体操服が入った無線タグＴＧ付きの体操服袋を各自の子供部屋に置き忘れたとする。所持品確認装置１０は、Ｃさん，Ｄさんがともに自分の体操服袋の所持を忘れたことを検知した場合、例えば「２人共何か忘れてない？」という音声（つまりＣさん，Ｄさんの両方に対して忘れ物がある旨の警告の音声）を出力する。これにより、所持品確認装置１０は、Ｃさん，Ｄさんが小学校への登校時に小学校での授業で必要な体操服の所持忘れを回避させることができ、Ｃさん，Ｄさんの快適な外出（登校）の実現を支援できる。
【００４２】
＜所持品確認システムの構成＞
次に、実施の形態１に係る所持品確認装置１０および無線タグ５０（無線タグＴＧ参照）の内部構成について、図８を参照して説明する。図８は、実施の形態１に係る所持品確認装置１０および無線タグ５０の構成例を詳細に示すブロック図である。
【００４３】
無線タグ５０は、通信制御部５１と、メモリ５２と、アンテナ５３とを含む構成である。上述したように、無線タグ５０は、Ａさん、Ｂさん、Ｃさんのそれぞれが外出時に忘れたくない所持品に貼り付け等される。
【００４４】
通信制御部５１は、アンテナ５３を介して、所持品確認装置１０のタグリーダ１６との間で所定の周波数帯（例えばＵＨＦ帯）の無線信号の送受信を行う。メモリ５２は、無線タグ５０を識別するためのユニークな異なる識別情報（ＩＤ）を記憶する。アンテナ５３は、所持品確認装置１０のアンテナＡｎｔ１との間で、無線信号の送受信を行う。
【００４５】
無線タグ５０では、通信制御部５１は、所持品確認装置１０のタグリーダ１６からアンテナＡｎｔ１，５３のそれぞれを介して電波を受信すると、受信された電波に応じて誘導電圧を誘起して電力を発生する。通信制御部５１は、その発生した電力を利用して、メモリ５２に記憶されている識別情報（ＩＤ）を含む反射波（タグ電波）を生成し、アンテナ５３を介して所持品確認装置１０に送信する。
【００４６】
所持品確認装置１０は、記憶部１１と、プロセッサ１２と、メモリ１３と、音声処理部１４と、表示部１５と、アンテナＡｎｔ１が接続されたタグリーダ１６と、アンテナＡｎｔ２が接続されたＷＬＡＮ通信部１７と、アンテナＡｎｔ３が接続された近距離通信部１８と、人感センサＳ１と、スピーカＳＰＫとを含む構成である。
【００４７】
記憶部１１は、例えばハードディスクドライブ（ＨＤＤ：Hard Disk Drive）またはソリッドステートドライブ（ＳＳＤ：Solid State Drive）を用いて構成され、所持品確認装置１０の処理実行時に参照されるデータあるいは情報を記憶している。例えば、記憶部１１は、設定データ１１ａ、物品データ１１ｂ、スケジュールデータ１１ｃ、地域情報１１ｄをそれぞれ記憶している。
【００４８】
設定データ１１ａは、所持品確認装置１０の動作に関する各種の設定に関する情報を含む。
【００４９】
物品データ１１ｂは、無線タグ５０が貼り付け等される物品（つまり所持品）ごとに、その所持品の名称と、その所持品に対して初期設定時（図３参照）に設定された各種の設定情報とを対応付けるデータである。各種の設定情報には、例えば、その所持品が具体的に何であり、誰の所持品であり、どの曜日のどの時間帯に忘れたことが検知されるとどのような反応音を音声出力するべきかを示す情報がそれぞれ含まれる。また、各種の設定情報には、その物品（所持品）がどういうスケジュール（例えば会議、授業、イベント）において使用されるかを示す用途に関する情報が含まれる。なお、どの曜日のどの時間帯に忘れたことが検知されるかという情報は、その所持品の持出日の情報に相当すると考えることができる。従って、物品データ１１ｂは、初期設定の際に生成される。例えば図３を参照して説明したＡさん（父親ＰＲ１）のパスケースＰＳＣ１を例に挙げると、物品データ１１ｂは、無線タグ５０が貼り付け等された「パスケース」と、上述した各種の設定情報としての「パスケース」という所持品の情報、「Ａさん」という所有者の情報、「平日かつ午前７時〜午前８時」という所持品確認装置１０に反応させるタイミングの情報、並びに、「ｓｏｕｎｄ３」という反応音の情報とを対応付けたデータである。
【００５０】
スケジュールデータ１１ｃは、例えばＡさん，Ｂさん，Ｃさんのそれぞれに対し、曜日ごとあるいは日ごとのスケジュールが個人別に登録されたデータを含む。ここで、スケジュールには、例えば会社のイベントの開催予定日、会社で実行するべき業務の内容および締切日（納期）、父母会のミーティング等のイベントの開催予定日、学校（例えば小学校）での授業の時間割（週案）あるいは運動会等のイベントの開催予定日等が含まれる。上述したスケジュールデータ１１ｃは、例えば父親ＰＲ１あるいは母親ＰＲ２の操作により、お知らせアプリがインストールされたスマートフォンＳＭ１あるいはスマートフォンＳＭ２から所持品確認装置１０に対して登録されて生成される。
【００５１】
また、スケジュールデータ１１ｃは、上述したスケジュールだけでなく、そのスケジュールにおいてＡさん，Ｂさん，Ｃさんのそれぞれが外出時に必要となる複数の所持品のリストを含んでも構わない。例えば、スケジュールデータ１１ｃは、曜日ごとあるいは日ごとに、スケジュールの内容とそのスケジュールの内容に合わせてＡさんが外出時（例えば出勤時）に所持するべき複数の所持品のリスト（図２参照）とを対応付けたＡさん用スケジュールデータであってもよい。また同様に、スケジュールデータ１１ｃは、曜日ごとあるいは日ごとに、スケジュールの内容とそのスケジュールの内容に合わせてＢさんが外出時に所持するべき複数の所持品のリスト（図２参照）とを対応付けたＢさん用スケジュールデータであってもよい。また同様に、スケジュールデータ１１ｃは、曜日ごとあるいは日ごとに、スケジュールの内容とそのスケジュールの内容に合わせてＣさんが外出時（例えば登校時）に所持するべき複数の所持品のリスト（図２参照）とを対応付けたＣさん用スケジュールデータであってもよい。
【００５２】
地域情報１１ｄは、所持品確認装置１０が配置されるＡさん家族の自宅の住所（つまり位置情報）と、その住所を含む地域ごとの天気予報情報（例えば雨予報の情報）を日あるいは週ごとに示す天気予報情報とを含む。地域情報１１ｄは、例えば外部情報提供サーバＷＳ１から、インターネットＮＷ１およびルータＲＴ１を介して所持品確認装置１０にて受信されて登録されて生成される。
【００５３】
また、図８には示されていないが、記憶部１１は、初期設定時に選択され得る複数種類の反応音の音声のテンプレートデータを記憶している。このテンプレートデータは、音声処理部１４がスピーカＳＰＫを介して音声出力する警告の音声データ（図４〜図７参照）の生成の際に、プロセッサ１２あるいは音声処理部１４により参照される。
【００５４】
コントローラの一例としてのプロセッサ１２は、例えばＣＰＵ（Central Processing Unit）、ＤＳＰ（Digital Signal Processor）もしくはＦＰＧＡ（Field Programmable Gate Array）を用いて構成される。プロセッサ１２は、所持品確認装置１０の制御部として機能し、所持品確認装置１０の各部の動作を全体的に統括するための制御処理、所持品確認装置１０の各部との間のデータの入出力処理、データの演算処理およびデータの記憶処理を行う。プロセッサ１２は、メモリ１３に記憶されたプログラムに従って動作する。
【００５５】
プロセッサ１２は、タグリーダ１６からの出力と近距離通信部１８からの出力とに基づいて、無線タグ５０や携帯無線端末（例えばスマートフォンＳＭ１，ＳＭ２あるいはタブレット端末ＴＢ１）等の所持品の有無を検知する。プロセッサ１２は、物品データ１１ｂと所持品の有無の検知結果とに基づいて、所持品の有無が検知された外出者（個人）が誰であるかを特定する。例えば図５に示されるように、子供ＫＤ１（Ｃさん）は、平日の登校時に所持するべき所持品として、ランドセルＢＧ３と自宅の鍵ＫＹ１と筆箱ＰＣ１とを所持することがＣさん用のスケジュールデータ１１ｃに予め登録されている。つまり、ランドセルＢＧ３と自宅の鍵ＫＹ１と筆箱ＰＣ１とのそれぞれの所持が検知されれば、所持品確認装置１により、その所持者は子供ＫＤ１と特定され、父親ＰＲ１（Ａさん）や母親ＰＲ２とは特定されない。これは、父親ＰＲ１（Ａさん）、母親ＰＲ２（Ｂさん）、子供ＫＤ１（Ｃさん）のそれぞれが外出時に所持する複数の所持品の組み合わせの内容が異なることを前提としているためである。なお、プロセッサ１２の他の動作の詳細については、図９を参照して後述する。
【００５６】
メモリ１３は、例えばＲＡＭ（Random Access Memory）とＲＯＭ（Read Only Memory）を用いて構成され、所持品確認装置１０の動作の実行に必要なプログラム、さらには、動作中に生成されたデータあるいは情報を一時的に保存する。ＲＡＭは、例えばプロセッサ１２の動作時に使用されるワークメモリである。ＲＯＭは、例えばプロセッサ１２を制御するためのプログラムを予め記憶する。
【００５７】
音声処理部１４は、例えばＣＰＵ、ＤＳＰもしくはＦＰＧＡを用いて構成され、プロセッサ１２により生成された警告の音声データ（図４〜図７参照）を、スピーカＳＰＫを介して音声出力させる。
【００５８】
表示部１５は、前面パネルを有する（図１参照）。表示部１５は、所持品確認装置１０の筐体内の土台（図示略）上に面的に等間隔配置された複数のＬＥＤ素子（発光素子の一例）に対するプロセッサ１２からの点灯指示を受けることで、所持品確認装置１０により検知された所持品の形状あるいは輪郭を前面パネルに浮かび上がらせるように表示する（図１参照）。
【００５９】
例えば、所持品確認装置１０（図１参照）の筐体内には、所持品の形状あるいは輪郭を示す部品と、その部品が差し込み可能な土台とが配置されている。なお、所持品確認装置１０は筐体の長手方向に沿って配置されることに限定されず、例えば、所持品確認装置１０を縦置きする場合には、その長手方向に垂直な方向（いわゆる短手方向）に沿って配置されても構わない。従って、所持品確認装置１０の筐体に対して、部品の差し込み方向は一意に限定されない。
【００６０】
図１を参照すると、Ａさん家族が外出時によく持ち出す所持品の例として、「傘」の部品と「鍵」の部品と「鞄」の部品とが予めそれぞれ土台に差し込まれている。所持品確認装置１０は、どの所持品の部品が土台に差し込まれているかをプロセッサ１２において検知可能である。部品は、所持品ごとにそれぞれ設けられており、例えば所持品確認装置１０には最大で３つの部品が土台に差し込めるようになっているが、最大３つに限定されるものではない。所持品確認装置１０は、タグリーダ１６からの出力により土台に予め差し込まれている部品に対応する所持品（例えば「傘」）の所持を検知した時に限って、「傘」の形状あるいは輪郭に適合する複数のＬＥＤ素子のそれぞれを点灯させ、表示部１５の前面パネルに傘ＣＵＢ１が浮かび上がるように「傘」を検知した旨を表示する。同様に、所持品確認装置１０は、タグリーダ１６からの出力により土台に予め差し込まれている部品に対応する所持品（例えば「鍵」，「鞄」）の所持を検知した時に限って、「鍵」，「鞄」の形状あるいは輪郭に適合する複数のＬＥＤ素子のそれぞれを点灯させ、表示部１５の前面パネルに鍵ＣＫＹ１，鞄ＣＢＧ１が浮かび上がるように「傘」を検知した旨を表示する。なお、所持品確認装置１０は、幾つか（例えば最大３つ）の部品がそれぞれ土台に差し込まれていても、それらの部品に対応する所持品の検知をしていない時には、複数のＬＥＤ素子を発光させないため、表示部１５には何も表示させない。
【００６１】
タグリーダ１６は、アンテナＡｎｔ１と接続され、プロセッサ１２からの電波送信指示に基づいて、所定の周波数帯（例えばＵＨＦ帯）の電波を、アンテナＡｎｔ１を介して無線タグ５０に送る。検知部の一例としてのタグリーダ１６は、電波（上述参照）の受信に応じて無線タグ５０から送られた無線タグ５０の識別情報を含むタグ電波を受信すると、無線タグ５０を検知した旨をその無線タグ５０の識別情報とともにプロセッサ１２に出力する。
【００６２】
通信部の一例としてのＷＬＡＮ通信部１７は、アンテナＡｎｔ２と接続され、ルータＲＴ１を介したインターネットＮＷ１との間のデータあるいは情報の無線通信を行うとともに、ルータＲＴ１を介した宅内の無線ＬＡＮによるデータあるいは情報の無線通信を行う。
【００６３】
近距離通信部１８は、アンテナＡｎｔ３と接続され、所持品確認システム１００の初期設定時に所持品確認装置１０との間でＢｌｕｅｔｏｏｔｈ（登録商標）のペアリングがなされた通信相手としてのスマートフォンＳＭ１，ＳＭ２あるいはタブレット端末ＴＢ１（図２参照）との間で、Ｂｌｕｅｔｏｏｔｈ（登録商標）の無線通信規格に準じた無線信号の送受信を行う。検知部の一例としての近距離通信部１８は、スマートフォンＳＭ１，ＳＭ２あるいはタブレット端末ＴＢ１等の携帯無線端末からのその携帯無線端末の識別情報を含むＢｌｕｅｔｏｏｔｈ（登録商標）に応じた無線信号を受信すると、その携帯無線端末を検知した旨をその携帯無線端末の識別情報とともにプロセッサ１２に出力する。
【００６４】
センサの一例としての人感センサＳ１は、例えば玄関ＨＬＬ１に向けて赤外線を常に照射しており、この赤外線の照射に対する反射光の強度に基づいて、玄関ＨＬＬ１に人が存在するか否かを検知する。人感センサＳ１は、人の存在の検知結果をプロセッサ１２に出力する。
【００６５】
スピーカＳＰＫは、音声処理部１４からの警告の音声データ（図４〜図７参照）を音声出力する。
【００６６】
＜所持品確認システムの動作＞
次に、実施の形態１に係る所持品確認装置１０の動作手順について、図９を参照して説明する。図９は、実施の形態１に係る所持品確認装置１０の動作手順例を詳細に示すフローチャートである。図９に示される処理は、主に所持品確認装置１０のプロセッサ１２により実行される。図９の説明を分かり易くするために、ステップＳｔ１において検知される人（外出者）は一人として説明する。
【００６７】
図９において、例えば玄関ＨＬＬ１の収納ケースの台上に載置された所持品確認装置１０は、人感センサＳ１により玄関ＨＬＬ１に近づく人（外出者）の存在を検知する（Ｓｔ１）。所持品確認装置１０は、ステップＳｔ１で外出者の存在が検知されたことを契機にして、タグリーダ１６から所定の周波数帯（例えばＵＨＦ帯）の電波を、アンテナＡｎｔ１を介して放射する。所持品確認装置１０は、外出者の複数の所持品のそれぞれに貼り付け等された無線タグ５０から送られた、無線タグ５０の識別情報を含むタグ電波を受信することでそれぞれの無線タグ５０をその識別情報とともに検知する（Ｓｔ２）。なお、所持品確認装置１０は、外出者が所持する所持品の中に携帯無線端末（例えばスマートフォンＳＭ１，ＳＭ２、タブレット端末ＴＢ１）が存在する場合、その携帯無線端末から送られるＢｌｕｅｔｏｏｔｈ（登録商標）に準じた無線信号の受信に応じて、その携帯無線端末の存在を検知する（Ｓｔ２）。なお、ステップＳｔ２では、外出者の所持品が複数個検知されたとする。
【００６８】
所持品確認装置１０は、ステップＳｔ２の後、無線タグ５０あるいは携帯無線端末が検知された日（検知日）のスケジュールデータ１１ｃを記憶部１１から読み出して取得する（Ｓｔ３）。所持品確認装置１０は、ステップＳｔ２において検知された無線タグ５０あるいは携帯無線端末に対応する物品データ１１ｂを記憶部１１から読み出して取得する（Ｓｔ４）。
【００６９】
所持品確認装置１０は、ステップＳｔ２において検知された無線タグ５０あるいは携帯無線端末（言い換えると、複数の所持品のそれぞれ）と、複数の所持品のそれぞれに対応する物品データ１１ｂとに基づいて、それぞれの所有者の所持品がどのような物品であるか、それぞれの所持品の所有者が誰であるかを特定する。所持品確認装置１０は、これらの特定結果に従って、ステップＳｔ１において検知された外出者が誰であるかの個人特定を行う（Ｓｔ５）。
【００７０】
所持品確認装置１０は、検知日に対応するスケジュールデータ１１ｃとステップＳｔ２において検知された無線タグ５０あるいは携帯無線端末（言い換えると、複数の所持品のそれぞれ）に対応する物品データ１１ｂとに基づいて、ステップＳｔ５により特定された外出者が検知日（上述参照）の外出時に所持するべき複数の所持品のリストを生成する（Ｓｔ６）。
【００７１】
所持品確認装置１０は、ステップＳｔ６において生成された所持品のリストとステップＳｔ２において検知された無線タグ５０あるいは携帯無線端末（言い換えると、複数の所持品のそれぞれ）とを比較し、外出者が所持品の忘れ物をしているか否かを判定する（Ｓｔ７）。外出者が所持品の忘れ物をしていない（言い換えると、ステップＳｔ６において生成された所持品のリストを検知された複数の所持品が充足する）と判定された場合には（Ｓｔ７、ＮＯ）、所持品確認装置１０の処理はステップＳｔ９に進む。
【００７２】
一方、所持品確認装置１０は、外出者が所持品の忘れ物をしている（言い換えると、ステップＳｔ６において生成された所持品のリストを検知された複数の所持品が充足しない）と判定した場合には（Ｓｔ７、ＹＥＳ）、その忘れ物（所持品）に対応する反応音（図３参照）と、その忘れ物（所持品）の名称（図５参照）あるいはその名称および所有者（図６参照）とを用いた警告の音声データをプロセッサ１２あるいは音声処理部１４において生成する。所持品確認装置１０は、その生成された警告の音声データをスピーカＳＰＫから音声出力させる（Ｓｔ８）。
【００７３】
また、所持品確認装置１０は、外部情報提供サーバＷＳ１から送られた天気予報情報を、インターネットＮＷ１およびルータＲＴ１を介して受信して取得する（Ｓｔ９）。なお、ステップＳｔ９の処理は、このタイミングで行われなくてもよく、例えば所持品確認装置１０の電源がオンされた時点で実行されても構わない。
【００７４】
所持品確認装置１０は、ステップＳｔ９において取得された天気予報情報に雨予報の情報が含まれているか否かを判定する（Ｓｔ１０）。天気予報情報に雨予報の情報が含まれていないと判定された場合には（Ｓｔ１０、ＮＯ）、図９に示す所持品確認装置１０の処理は終了する。
【００７５】
一方、所持品確認装置１０は、天気予報情報に雨予報の情報が含まれていると判定した場合には（Ｓｔ１０、ＹＥＳ）、初期設定時に選択された反応音（図３参照）を用いた雨予報用の警告の音声データをプロセッサ１２あるいは音声処理部１４において生成する。所持品確認装置１０は、その生成された雨予報用の警告の音声データをスピーカＳＰＫから音声出力させる（Ｓｔ１１）。このとき、所持品確認装置１０の表示部１５（図１参照）に「傘」を表示する。
【００７６】
以上により、実施の形態１に係る所持品確認システム１００では、所持品確認装置１０は、宅内と宅外との間の境界位置に配置され、人の外出先でのスケジュールを日ごとに示すスケジュールデータ１１ｃと、人が外出時に所持するべき複数の所持品のそれぞれの所有者情報および持出日情報を含む物品データ１１ｂとを記憶する記憶部１１を有する。所持品確認装置１０は、人が外出時に所持している複数の所持品のそれぞれを検知する検知部の一例としてのタグリーダ１６および近距離通信部１８を有する。所持品確認装置１０は、複数の所持品のそれぞれの検知結果と検知された複数の所持品のそれぞれに対応する物品データ１１ｂとに基づいて、人を特定するプロセッサ１２を有する。プロセッサ１２は、複数の所持品のそれぞれが検知された検知日に対応するスケジュールデータ１１ｃおよび物品データ１１ｂにより特定される人が外出時に所持するべき複数の所持品の組み合わせを検知結果が充足しない場合に、人に対して所持品の忘れ物がある旨を警告する。
【００７７】
これにより、所持品確認装置１０は、宅内の人（居住者、例えばＡさん、Ｂさん、Ｃさんのいずれか）が自宅から外出時に所持するべき所持品の忘れ物があるか否かを正確に検知できる。従って、所持品確認装置１０は、忘れ物があると判定した場合に、その旨をその人（外出者）に対して報知して警告できるので、その外出者の快適な外出の実現を効果的に支援できる。
【００７８】
また、所持品確認装置１０は、所定の近距離無線方式（例えばＢｌｕｅｔｏｏｔｈ（登録商標）に準じた無線通信を用いて、所持品として人が所持している携帯無線端末（例えばスマートフォンＳＭ１，ＳＭ２、タブレット端末ＴＢ１）の有無を検知する。これにより、携帯無線端末に無線タグ５０を貼り付け等する必要が無いので、無線タグ５０が送る無線信号の周波数帯（例えばＵＨＦ帯）と携帯無線端末が送る無線信号の周波数帯（例えば無線ＬＡＮ）との干渉が発生することを抑制可能となる。従って、所持品確認装置１０は、携帯無線端末（上述参照）が周囲に存在するか否かを所定の近距離無線方式に準じた無線信号の受信の有無に応じて、携帯無線端末の有無を簡易かつ正確に判定できる。
【００７９】
また、所持品確認装置１０は、複数の所持品のそれぞれに設けられた無線タグ５０との間で所定の無線通信方式（例えばＵＨＦ帯の周波数帯）に準じた無線通信を用いて、所持品の有無を検知する。これにより、所持品確認装置１０は、例えばＲＦＩＤ技術を用いて、外出者が所持している複数の所持品の有無を簡易かつ正確に検知できる。
【００８０】
また、所持品確認装置１０は、警告の音声データとして、所持品の忘れ物がある旨とその忘れ物である所持品の名称とを含む音を、スピーカＳＰＫを介して音声出力させる。これにより、外出者は、外出時に所持品の忘れ物をしたことを簡単に気付くことができ、忘れ物をしなくて快適な外出を行える。
【００８１】
また、所持品確認装置１０は、複数の発光素子が所定間隔ごとに均等に配置されて構成された表示部１５を有する。所持品確認装置１０は、タグリーダ１６あるいは近距離通信部１８により検知された１以上の所持品の形状に応じて複数の発光素子（例えばＬＥＤ素子）を点灯させる。これにより、外出者は、玄関ＨＬＬ１の目立つ場所（例えば靴等の収納ケースの台上）に載置された所持品確認装置１０の表示部１５に検知された所持品を視覚的に確認できるので、自分が所持している所持品を直感的に把握できる。
【００８２】
また、所持品確認装置１０は、天気予報情報を提供する外部情報提供サーバＷＳ１との間で通信可能なＷＬＡＮ通信部１７を有する。所持品確認装置１０は、ＷＬＡＮ通信部１７を介して取得された天気予報情報に雨予報を示す情報が含まれている場合に、所持品の忘れ物がある旨を警告するとともに、人に対して傘の所持を推奨する旨を報知する。これにより、所持品確認装置１０は、たとえ外出時点では雨が降っていなくても外出者が帰宅するまでに雨が降る可能性が高い旨の雨予報の取得に基づく傘の所持の推奨を報知することで、外出者が途中で雨に濡れる可能性を低減でき、外出者の快適な外出を支援できる。
【００８３】
また、所持品確認装置１０は、人（例えば玄関ＨＬＬ１に近づく外出者）の存在を検知する人感センサＳ１を有する。タグリーダ１６は、人感センサＳ１による人の存在の検知に基づいて、複数の所持品のそれぞれの検知を開始する。これにより、所持品確認装置１０は、携帯無線端末以外の他の所持品の検知を、玄関ＨＬＬ１の近くに人がいない場合に行うことを回避できるので、タグリーダ１６からの電波の必要以上な放射を抑制でき、消費電力の低減を支援できる。
【００８４】
（実施の形態２の内容に至る経緯）
上述したように、家族のそれぞれの人が自宅から外出時に所持するべき所持品を正しく所持しているかどうかはその人が気持ち良く外出できるかどうかを左右する。例えば、大人が外出時（例えば出勤時）に忘れ物をした場合にはその忘れ物によっては途中の店舗等で購入する等代替手段が存在し得るのでそれほど大きなトラブルとはならない。しかし、子供が学校等で使用する所持品を忘れた場合には上述した代替手段が存在せず、その子供にとっては、学校等での授業に参加できずに自習せざるを得ない等、学校等での一日の生活が疎かになり深刻なトラブルとなり得る。また昨今、小学校等の教育現場では時間割に相当する週案が文字通り週ごとに変更されることもあるため、子供が学校等で必要な所持品は週ごとに目まぐるしく変動する傾向がある。このような教育現場での運用の経緯から、子供が外出時（例えば登校時）に学校に必要な所持品の忘れ物が無いように配慮することの技術的なサポートが望まれている。
【００８５】
例えば特許文献１では、携帯通信装置は特定の使用者（例えば生徒）により使用されること、かつ生徒は忘れ物の有無を検出するための携帯通信装置を鞄に携帯することが前提となっている。このため、生徒が携帯通信装置自体の携帯を忘れてしまうと、その生徒が移動した際に忘れ物をしたか否かの正確な検出はできないという課題があった。言い換えると、特許文献１の携帯通信装置を必ず携帯しなくても、生徒が外出時に所持するべき所持品の忘れ物があるか否かの検知を正確に行えることが望ましい点で、特許文献１等の従来技術に比べて改善の余地があった。
【００８６】
そこで、実施の形態２では、人が自宅から学校等に登校する時に所持するべき所持品の忘れ物があるか否かを、事前に登録された学校等の週案に応じて正確に検知して忘れ物がある場合にその旨を報知して警告し、その人の快適な外出の実現を支援する所持品確認システム、所持品確認装置および所持品確認方法の例を説明する。
【００８７】
（実施の形態２）
実施の形態２では、実施の形態１と異なり、所持品確認装置１０に登録されるスケジュールデータ１１ｃが、子供（例えば子供ＫＤ１）の通学する学校（例えば小学校）の教師が使用するタブレット端末ＴＢ０により入力されて送られる点が異なる。つまり、実施の形態２では、実施の形態１に比べて、各家庭と小学校とが連携してインターネットＮＷ１を介してデータあるいは情報の送受信が行われる点が特徴的である。
【００８８】
＜所持品確認システムの構成＞
図１０は、実施の形態２に係る所持品確認システム１００Ａのシステム構成例を示す図である。所持品確認システム１００Ａは、所持品確認装置１０と、複数の無線タグＴＧと、ルータＲＴ１と、子供ＫＤ１の保護者（例えば母親ＰＲ２）が所持する携帯無線端末（例えばスマートフォンＳＭ２）と、外部情報提供サーバＷＳ１と、クラウドサーバ３０と、ルータＲＴ２と、タブレット端末ＴＢ０とを含む構成である。なお、実施の形態２に係る所持品確認システム１００Ａのシステム構成は、実施の形態１に係る所持品確認システム１００のシステム構成と同様であり、同一の構成については同一の符号を付与して説明を簡略化あるいは省略し、異なる内容について説明する。
【００８９】
実施の形態２に係る所持品確認システム１００Ａでは、子供ＫＤ１の登校する小学校での週案やイベントを含むスケジュールデータの入力が小学校の教師のタブレット端末ＴＢ０により入力され、所持品確認装置１０にはタブレット端末ＴＢ０から送られたスケジュールデータがスケジュールデータ１１ｃとして登録される例を説明する。しかし、実施の形態２は、上述した子供ＫＤ１の登校する小学校でのスケジュールデータの登録例に限定されないことは言うまでもない。例えば、父親ＰＲ１または母親ＰＲ２の外出先でのスケジュールデータの登録例に適用可能であってよい。
【００９０】
通信端末の一例としてのタブレット端末ＴＢ０は、小学校の教師により使用され、その教師の操作により、スケジュール（例えば小学校での週ごとの週案（いわゆる時間割）や学内での運動会等のイベント）のデータ入力を受け付ける。タブレット端末ＴＢ０は、入力されたスケジュールデータを、無線ＬＡＮ（ＷＬＡＮ）による無線通信を用いて、ルータＲＴ２およびインターネットＮＷ２を介してクラウドサーバ３０に送る。
【００９１】
ルータＲＴ２は、小学校内の無線ネットワーク（例えば無線ＬＡＮ）に接続され、かつその無線ネットワークとは異なる外部のインターネットＮＷ２にも接続される。なお、図１０でも、図１と同様に無線ＬＡＮを「ＷＬＡＮ」と略記している。ルータＲＴ２は、小学校内の無線ネットワーク内での通信機器（例えばタブレット端末ＴＢ０）との間のデータあるいは情報の送受信を中継し、更に、小学校内の無線ネットワーク内での通信機器（上述参照）とインターネットＮＷ２との間でのデータあるいは情報の送受信を中継する。
【００９２】
クラウドサーバ３０は、異なるネットワーク網（具体的には、インターネットＮＷ１，ＮＷ２）との間でそれぞれデータあるいは情報の送受信が可能に接続される。例えば、クラウドサーバ３０は、ルータＲＴ２およびインターネットＮＷ２を介してタブレット端末ＴＢ０から送られたスケジュールデータを、インターネットＮＷ１およびルータＲＴ１を介して、所持品確認装置１０と母親ＰＲ２のスマートフォンＳＭ２とのそれぞれに送る。なお、クラウドサーバ３０の詳細なハードウェア構成の図示は省略するが、通常のサーバ装置あるいはＰＣ等のコンピュータ機器と同様に、制御処理用のプロセッサと、ＲＯＭおよびＲＡＭを有するメモリと、データあるいは情報を記録可能なハードディスクあるいはソリッドステートドライブ等の記録装置と、インターネットＮＷ１，ＮＷ２との間で通信が可能な通信インターフェース回路とを有して構成される。
【００９３】
図１１は、小学校の教師が使用するタブレット端末ＴＢ０により生成された週案が表示された画面例を示す図である。図１２は、実施の形態２に係る所持品確認システム１００Ａの動作概要例を示す説明図である。
【００９４】
図１１に示される週案（いわゆる時間割）は、あくまで一例であり、週案の書式等のフォーマットは一様でなくてもよい。図１１に示される週案ＳＣＬ１は、該当する一週間の開始日（月曜日）および終了日（金曜日）と、曜日ごとの授業の時間割ならびにその日に持参しなければならない所持品のチェックマーク欄付きのリストＬＳＴ１とを少なくとも含む構成である。週案ＳＣＬ１は、教師の指ＦＧ２により、タブレット端末ＴＢ０のディスプレイＤＰ１に対して入力されて生成される。
【００９５】
図１２に示すように、この週案ＳＣＬ１のデータ（言い換えれば、小学校での一週間分の予定が記載されたスケジュールデータ）の作成が終了すると、上述したように教師の操作により、クラウドサーバ３０に送られる。クラウドサーバ３０は、スケジュールデータを各家庭内の保護者（例えば母親ＰＲ２）のスマートフォン（例えばスマートフォンＳＭ２）と所持品確認装置１０とのそれぞれに送る。なお、図１２に示されるように、各家庭内の保護者のスマートフォンおよび所持品確認装置１０の情報はそれぞれ、例えば所持品確認システム１００Ａの初期設定においてタブレット端末ＴＢ０（言い換えれば、小学校側）において登録される。
【００９６】
このように、実施の形態２では、所持品確認装置１０に登録されるスケジュールデータ１１ｃは、子供ＫＤ１が登校する小学校の教師の操作によって生成されたスケジュールデータと一致している。従って、実施の形態１と比べて、スケジュールデータ１１ｃの登録作業を行う保護者（例えば母親ＰＲ２）の入力時の負担が軽減することが期待される。
【００９７】
また、タブレット端末ＴＢ０は、週案（図１１参照）だけでなく、保護者（例えば母親ＰＲ２）に特別に用意してもらうべき所持品のリストを含むスケジュールデータをクラウドサーバ３０に送ってもよい。この場合、スマートフォンＳＭ２は、スケジュールデータの中に保護者（例えば母親ＰＲ２）が子供ＫＤ１のために特別に用意しなければならないものをスマートフォンＳＭ２のディスプレイに表示して母親に通知できる。
【００９８】
図１３は、Ｃさんの外出時のお知らせ例を示すユースケース図である。実施の形態２では、図１３に示すように、子供ＫＤ１（Ｃさん）が小学校への登校時に玄関ＨＬＬ１に近づき、例えば図工の授業で使用する紙コップの所持を忘れたとする。また、この紙コップは、スケジュールデータ１１ｃに含まれる週案の中で図工の授業で必要なものであることが明記されている。玄関ＨＬＬ１の収納ケースの台上に載置された所持品確認装置１０は、警告の音声データとして、小学校の教師の操作によって生成された週案等のスケジュールデータの詳細な内容（例えば、単なる所持品の名称だけでなく、その所持品が小学校のどの授業で必要であるかを示す科目名情報）を音声出力できる。これにより、子供ＫＤ１は、小学校の週案の中のどの授業で必要な何の持出（所持）を忘れてしまったかを具体的に思い出すことができ、忘れ物の無い快適な登校を行える。
【００９９】
＜所持品確認システムの動作＞
次に、実施の形態２に係る所持品確認装置１０の動作手順について、図１４および図９を参照して説明する。図１４は、実施の形態２に係る所持品確認システム１００Ａの動作手順例を詳細に示すシーケンス図である。
【０１００】
図１４において、小学校の教師の操作により、タブレット端末ＴＢ０は、小学校での週案や必要に応じて学内のイベントを含むスケジュールデータが生成される（Ｓｔ２１）。小学校の教師の操作により、タブレット端末ＴＢ０からスケジュールデータの印刷用データがプリンタ（図示略）を介して出力され（Ｓｔ２２）、配布用のプリントアウトが生徒（例えば子供ＫＤ１）に配布される（Ｓｔ２３）。また、タブレット端末ＴＢ０は、小学校の教師の操作により、週案を含むスケジュールデータをクラウドサーバ３０に送信する（Ｓｔ２４）。
【０１０１】
クラウドサーバ３０は、タブレット端末ＴＢ０から送られたスケジュールデータを受信して蓄積し（Ｓｔ２５）、その週案を含むスケジュールデータを所持品確認装置１０に送るとともに保護者（例えば母親ＰＲ２）のスマートフォン（例えばスマートフォンＳＭ２）にも送る（Ｓｔ２６，Ｓｔ２７）。
【０１０２】
所持品確認装置１０は、クラウドサーバ３０から送られた週案を含むスケジュールデータを受信して蓄積し（Ｓｔ２８）、その週案を含むスケジュールデータをスケジュールデータ１１ｃとして蓄積し、あるいは必要に応じて更新してスケジュールデータ１１ｃとして蓄積する（Ｓｔ２９）。ステップＳｔ２９の後、所持品確認装置１０の処理はステップＳｔ１に進む。つまり、図１４に示される動作手順により、所持品確認装置１０に保持されるべきスケジュールデータ１１ｃの登録が完了するので、以後、所持品確認装置１０は、実施の形態１を参照して説明した処理（図９参照）を実行する。
【０１０３】
また、保護者のスマートフォン（例えばスマートフォンＳＭ２）は、保護者の操作によって、所持品確認システム１００Ａに対応するお知らせアプリを起動すると、その起動時にステップＳｔ２７において送られた週案を含むスケジュールデータを取得する（Ｓｔ３０）。また、スマートフォンＳＭ２は、お知らせアプリの中でカメラ機能を用いて、ステップＳｔ２３において生徒（例えば子供ＫＤ１）に配布された週案（図１１参照）のプリントアウトを文字認識して週案のテキストデータを取得してもよい（Ｓｔ３１）。
【０１０４】
以上により、実施の形態２に係る所持品確認システム１００Ａは、タブレット端末ＴＢ０と、宅内と宅外との間の境界位置に配置された所持品確認装置１０とが互いに通信可能に接続される。タブレット端末ＴＢ０は、子供ＫＤ１の登校先での日ごとの時間割（週案）およびイベントを示すスケジュールデータを所持品確認装置１０に送る。所持品確認装置１０は、タブレット端末ＴＢ０から送られたスケジュールデータをスケジュールデータ１１ｃとして、更に、子供ＫＤ１が登校時に所持するべき複数の所持品のそれぞれの持出日情報を含む物品データ１１ｂとを記憶部に登録する。所持品確認装置１０は、子供ＫＤ１が外出時（外出前）に所持している複数の所持品のそれぞれの存在を検知し、複数の所持品のそれぞれの検知結果と検知された複数の所持品のそれぞれに対応する物品データ１１ｂと複数の所持品のそれぞれが検知された検知日に対応するスケジュールデータ１１ｃとに基づいて、子供ＫＤ１が登校時に所持するべき複数の所持品の組み合わせを検知結果が充足するか否かを判定する。所持品確認装置１０は、複数の所持品の組み合わせを検知結果が充足しない場合に、子供に対して所持品の忘れ物がある旨を警告する。
【０１０５】
これにより、所持品確認システム１００Ａでは、所持品確認装置１０には、例えば子供ＫＤ１が登校する小学校の教師により予め入力されて生成された週案や学内でのイベント等のスケジュールデータがインターネットＮＷ２，ＮＷ１を介して送られて、その後スケジュールデータとして登録あるいは更新される。従って、所持品確認装置１０は、子供ＫＤ１が自宅から小学校等に登校する時に所持するべき所持品の忘れ物があるか否かを、事前にスケジュールデータ１１ｃとして登録された小学校等の週案を含むスケジュールに応じて正確に検知できる。また、仮に子供ＫＤ１が週案に記載された授業の中で使用するべき所持品の忘れ物をして登校しようとしても、所持品確認装置１０は、その手前で子供ＫＤ１に対して忘れ物がある旨を報知して警告できるので（図１３参照）、子供ＫＤ１に忘れ物をさせない快適な外出の実現を効果的に支援できる。
【０１０６】
また、所持品確認装置１０は、所定の近距離無線方式（例えばＢｌｕｅｔｏｏｔｈ（登録商標）に準じた無線通信を用いて、所持品として子供ＫＤ１が所持している携帯無線端末の有無を検知する。これにより、携帯無線端末に無線タグ５０を貼り付け等する必要が無いので、無線タグ５０が送る無線信号の周波数帯（例えばＵＨＦ帯）と携帯無線端末が送る無線信号の周波数帯（例えば無線ＬＡＮ）との干渉が発生することを抑制可能となる。従って、所持品確認装置１０は、携帯無線端末（上述参照）が周囲に存在するか否かを所定の近距離無線方式に準じた無線信号の受信の有無に応じて、携帯無線端末の有無を簡易かつ正確に判定できる。
【０１０７】
また、所持品確認装置１０は、複数の所持品のそれぞれに設けられた無線タグ５０との間で所定の無線通信方式（例えばＵＨＦ帯の周波数帯）に準じた無線通信を用いて、所持品の有無を検知する。これにより、所持品確認装置１０は、例えばＲＦＩＤ技術を用いて、外出者が所持している複数の所持品の有無を簡易かつ正確に検知できる。
【０１０８】
また、所持品確認装置１０は、警告の音声データとして、所持品の忘れ物がある旨とその忘れ物である所持品の名称とを含む音を、スピーカＳＰＫを介して音声出力させる。これにより、外出者（例えば子供ＫＤ１）は、外出時に所持品の忘れ物をしたことを簡単に気付くことができ、忘れ物をしなくて快適な外出（例えば小学校への登校）を行える。
【０１０９】
また、所持品確認装置１０は、複数の発光素子が所定間隔ごとに均等に配置されて構成された表示部１５を有する。所持品確認装置１０は、タグリーダ１６あるいは近距離通信部１８により検知された１以上の所持品の形状に応じて複数の発光素子（例えばＬＥＤ素子）を点灯させる。これにより、外出者（例えば子供ＫＤ１）は、玄関ＨＬＬ１の目立つ場所（例えば靴等の収納ケースの台上）に載置された所持品確認装置１０の表示部１５に検知された所持品を視覚的に確認できるので、自分が所持している所持品を直感的に把握できる。
【０１１０】
また、所持品確認装置１０は、天気予報情報を提供する外部情報提供サーバＷＳ１との間で通信可能なＷＬＡＮ通信部１７を有する。所持品確認装置１０は、ＷＬＡＮ通信部１７を介して取得された天気予報情報に雨予報を示す情報が含まれている場合に、所持品の忘れ物がある旨を警告するとともに、人（例えば子供ＫＤ１）に対して傘の所持を推奨する旨を報知する。これにより、所持品確認装置１０は、たとえ外出時点では雨が降っていなくても外出者（例えば子供ＫＤ１）が帰宅するまでに雨が降る可能性が高い旨の雨予報の取得に基づく傘の所持の推奨を報知することで、外出者（例えば子供ＫＤ１）が途中で雨に濡れる可能性を低減でき、外出者（例えば子供ＫＤ１）の快適な外出を支援できる。
【０１１１】
また、所持品確認装置１０は、人（例えば子供ＫＤ１）の存在を検知する人感センサＳ１を有する。タグリーダ１６は、人感センサＳ１による人の存在の検知に基づいて、複数の所持品のそれぞれの検知を開始する。これにより、所持品確認装置１０は、携帯無線端末以外の他の所持品の検知を、玄関ＨＬＬ１の近くに人がいない場合に行うことを回避できるので、タグリーダ１６からの電波の必要以上な放射を抑制でき、消費電力の低減を支援できる。
【０１１２】
また、タブレット端末ＴＢ０は、子供ＫＤ１の保護者が所持する携帯無線端末（例えばスマートフォンＳＭ２）に関する情報を保持するとともに、スケジュールデータを携帯無線端末（例えばスマートフォンＳＭ２）に送る。これにより、小学校の教師により生成されるスケジュールデータが週案（図１１参照）だけでなく、保護者（例えば母親ＰＲ２）に特別に用意してもらうべき所持品のリストを含む場合、その保護者は、特別に用意しなければならない所持品をタブレット端末ＴＢ０から送信されるとスマートフォンＳＭ２において受信できるので、特別に用意しなければならないものを早期に準備できる等、保護者への早期通知を実現でき、保護者の利便性を的確に向上できる。
【０１１３】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【０１１４】
本開示は、人が自宅から外出時に所持するべき所持品の忘れ物があるか否かを正確に検知して忘れ物がある場合にその旨を報知して警告し、その人の快適な外出の実現を支援する所持品確認装置および所持品確認方法として有用である。
【符号の説明】
【０１１５】
１０  所持品確認装置
１１  記憶部
１１ａ  設定データ
１１ｂ  物品データ
１１ｃ  スケジュールデータ
１１ｄ  地域情報
１２  プロセッサ
１３、５２  メモリ
１４  音声処理部
１５  表示部
１６  タグリーダ
１７  ＷＬＡＮ通信部
１８  近距離通信部
５０  無線タグ
５１  通信制御部
５３、Ａｎｔ１、Ａｎｔ２、Ａｎｔ３  アンテナ
１００、１００Ａ  所持品確認システム
ＮＷ１、ＮＷ２  インターネット
Ｓ１  人感センサ
ＳＭ１、ＳＭ２  スマートフォン
ＳＰＫ  スピーカ
ＷＳ１  外部情報提供サーバ
【図１】
2020135562.tif 000003
【図２】
2020135562.tif 000004
【図３】
2020135562.tif 000005
【図４】
2020135562.tif 000006
【図５】
2020135562.tif 000007
【図６】
2020135562.tif 000008
【図７】
2020135562.tif 000009
【図８】
2020135562.tif 000010
【図９】
2020135562.tif 000011
【図１０】
2020135562.tif 000012
【図１１】
2020135562.tif 000013
【図１２】
2020135562.tif 000014
【図１３】
2020135562.tif 000015
【図１４】
2020135562.tif 000016